(57)【要約】      （修正有）【課題】ダイヤル操作の際にダイヤル番号を合わせるのが容易であり、とくに冬場で指がかじかんでしまう場合やグローブ等を手に嵌めた状態でも、ダイヤル操作を比較的安定的に行うことのできるダイヤル錠及びワイヤー付きダイヤル錠を提供する。【解決手段】キーＫを挿入し得る筒状のハウジングＨの周側面に、環幅１０ｍｍ以上２０ｍｍ以下の操作リング１を３列以上隣設させてなる。各操作リング１の環外周面には、環幅よりも小さい突出幅のダイヤル凸部１０が複数個、環周方向に沿って一定の離間間隔ごとに突出形成され、複数のダイヤル凸部１０はいずれも、略多角形又は円形の平面外形状からなり、かつ、平面又は凹面からなる所定形状の頂面を有し、各ダイヤル凸部１０の頂面には、周方向のダイヤル凸部同士を識別する識別符号１Ｉが固定表示される。【選択図】図１
0003185775.tif 000002
【実用新案登録請求の範囲】
【請求項１】
キーを挿入し得る筒状のハウジングの周側面に、環幅１０ｍｍ以上２０ｍｍ以下の操作リングを３列以上隣設して組み込んでなるダイヤル錠であって、
各操作リングの環外周面には、前記環幅よりも小さい突出幅のダイヤル凸部が複数個、環周方向に沿って一定の離間間隔ごとに突出形成され、
前記複数のダイヤル凸部はいずれも、略多角形又は円形の平面外形状からなり、かつ、平面又は凹面からなる所定形状の頂面を有し、
各ダイヤル凸部の頂面には、周方向のダイヤル凸部同士を識別する識別符号が固定表示されてなることを特徴とするダイヤル錠。
【請求項２】
各ダイヤル凸部の頂面は凹面からなり、この凹面内に透過性レンズが嵌入され、当該凹面と透過性レンズ下面との間に識別符号が固定表示されることで、
識別符号が透過性レンズのレンズ効果によって歪んでまたは変形して視認される請求項１記載のダイヤル錠。
【請求項３】
各ダイヤル凸部の頂面又は頂面に嵌入された透過性レンズの上面には、複数の微細突起が面内に離散形成される請求項１又は２記載のダイヤル錠。
【請求項４】
各操作リングの環周面を覆う弾性の筒状バンドからなるリングカバーを少なくとも一個、少なくともいずれかの操作リングの環周面に取り付け乃至取り外し可能に具備してなるダイヤル錠であって、
リングカバーの筒状バンド内面には、操作リングの各ダイヤル凸部に対応した複数の嵌合凹部が複数個、ダイヤル凸部の形成角度に対応して凹形成され、
リングカバーの筒状バンド外面には、所定のカバー凸部が複数個、環周方向に沿って各嵌合凹部の形成位置に対応して突出形成され、
各操作リングの環周を覆って取り付けたリングカバーの回転操作によって、操作リングを回転操作し得る請求項１ないし３のいずれか記載のダイヤル錠。
【請求項５】
ハウジングには、操作リングの取り付け部の内側に円筒状の支持枠が形成され、
操作リングの環内面には、回転トルク０．０３±０．０１Ｎｍの乗り越え抵抗を有する抵抗凸片が複数個、前記凸部の離間間隔と同じ離間間隔毎に突出形成され、
操作リングは、内部の抵抗凸片が、ハウジングの支持枠に対して内部接触するように組み込まれてなり、前記乗り越え抵抗以上の回転トルクによってのみ回転する請求項５記載のダイヤル錠。
【請求項６】
請求項１ないし５のいずれか記載のダイヤル錠と、ダイヤル錠のハウジングを一端に繋ぎ、ダイヤル錠のキーを他端に繋いだワイヤーとから構成されたワイヤー付きダイヤル錠であって、
ハウジングは、略半球状にすぼみ形成された両端部を有し、
両端部の間に、半球の径よりも大径の環外周を有する３列の操作リングを組み込んでなるワイヤー付きダイヤル錠。
【考案の詳細な説明】
【技術分野】
【０００１】
本考案は、キーを差し込んだ状態でダイヤルを回転操作して施錠ないし開錠を行うダイヤル錠、及び、このダイヤル錠にワイヤーを取り付けたワイヤー付のダイヤル錠に関する。
【背景技術】
【０００２】
従来、ロッカーやキャビネットなどの扉付きの収納具に組み付けられるダイヤル錠に関し、前面にダイヤル操作部１１を有しそのダイヤル操作部１１を薄手の金属製の扉板の前面に臨ませかつその扉板に設けられた取付孔に胴体部が嵌合した状態で固定することが可能な錠本体１と、前面開口の凹部２１を有しその凹部２１の前面開口部を厚手の木製の扉板９の前面に臨ませかつ扉板９に設けられた取付孔９０に胴体部２０が嵌合した状態で固定することが可能なハウジング２とから成るものが開示される（特許文献１参照）。このダイヤル錠のハウジング２は、錠本体１のダイヤル操作部１１を扉板９の前面に臨ませかつ凹部２１に錠本体１の胴体部２０が嵌合した状態で固定することが可能に形成されている、とされる。
【０００３】
【先行技術文献】
【特許文献】
【０００４】
【特許文献１】特開２０１２−２３３３３７号公報
【０００５】
【考案の概要】
【考案が解決しようとする課題】
【０００６】
しかしながら、上記従来のダイヤル錠は、ダイヤル操作部が比較的小範囲の操作面内に密集して配置されるため、ダイヤル操作の際にダイヤル番号を合わせるのが容易とはいえなかった。とくに冬場で指がかじかんでしまう場合やグローブ等を手に嵌めた状態ではダイヤル操作によって番号を合わせることが困難であった。
【０００７】
そこで本考案は、ダイヤル操作の際にダイヤル番号を合わせるのが容易であり、とくに冬場で指がかじかんでしまう場合やグローブ等を手に嵌めた状態でも、ダイヤル操作を比較的安定的におナウことのできるダイヤル錠を提供し、またこのようなダイヤル錠を備えたワイヤー付きダイヤル錠を提供することを課題とする。
【課題を解決するための手段】
【０００８】
上記課題を解決するため、本考案は以下（１）〜（６）の構成を採用している。
（１）本考案のダイヤル錠は、キーＫを挿入し得る筒状のハウジングＨの周側面に、環幅１０ｍｍ以上２０ｍｍ以下の操作リング１を３列以上隣設して組み込んでなるダイヤル錠であって、
各操作リング１の環外周面には、前記環幅よりも小さい突出幅のダイヤル凸部１０が複数個、環周方向に沿って一定の離間間隔ごとに突出形成され、
前記複数のダイヤル凸部１０はいずれも、略多角形又は円形の平面外形状からなり、かつ、平面又は凹面からなる所定形状の頂面を有し、
各ダイヤル凸部１０の頂面には、周方向のダイヤル凸部同士を識別する識別符号１Ｉが固定表示されてなることを特徴とする。
（２）前記ダイヤル錠において、各ダイヤル凸部１０の頂面は凹面からなり、この凹面内に透過性レンズが嵌入され、凹面と透過性レンズ下面との間に識別符号１Ｉが固定表示されることで、
識別符号１Ｉが透過性レンズのレンズ効果によって歪んでまたは変形して視認されることが好ましい。
（３）前記ダイヤル錠において、各ダイヤル凸部の頂面又は頂面に嵌入された透過性レンズの上面には、複数の微細突起が面内に離散して形成されることが好ましい。
（４）前記いずれかのダイヤル錠において、各操作リングの環周面を覆う弾性の筒状バンドからなるリングカバー２を少なくとも一個、少なくともいずれかの操作リングの環周面に着脱（取り付け乃至取り外し）可能に具備してなるダイヤル錠であって、
リングカバー２の筒状バンド内面には、操作リングの各ダイヤル凸部に対応した複数の嵌合凹部が複数個、ダイヤル凸部の形成角度に対応して凹形成され、
リングカバー２の筒状バンド外面には、所定のカバー凸部２０が複数個、環周方向に沿って各嵌合凹部の形成位置に対応して突出形成され、
各操作リングの環周を覆って取り付けたリングカバー２の回転操作によって、操作リングを回転操作し得ることが好ましい。
弾性体のリングカバー２を装着することによって、ダイヤル錠のダイヤルを容易に回すことができる。また既存のダイヤル錠の操作リングにリングカバー２を装着することも可能である。後述の図３のように、１つだけを複数の操作リングのうち少なくとも１つに取り付けたものとしもよく、操作リングの数と同数のリングカバーをすべての操作リングにそれぞれ取り付けたものとしてもよい。
（５）前記ダイヤル錠において、ハウジングＨには、操作リングの取り付け部の内側に円筒状の支持枠が形成され、
操作リングの環内面には、回転トルク０．０３±０．０１Ｎｍの乗り越え抵抗を有する抵抗凸片が複数個、前記凸部１０の離間間隔と同じ離間間隔毎に突出形成され、
操作リング１は、内部の抵抗凸片が、ハウジングＨの支持枠に対して内部接触するように組み込まれてなり、前記乗り越え抵抗以上の回転トルクによってのみ回転することが好ましい。
（６）本考案のワイヤー付きダイヤル錠は、前記いずれか記載のダイヤル錠と、ダイヤル錠のハウジングを一端に繋ぎ、ダイヤル錠のキーを他端に繋いだワイヤーとから構成されたワイヤー付きダイヤル錠であって、
ハウジングは、略半球状にすぼみ形成された両端部を有し、
両端部の間に、ハウジングの両端部の前記半球の最大径よりも大きい環外径の操作リングを３列、隣接させた状態で組み込んでなることを特徴とする。
【考案の効果】
【０００９】
本考案は上記手段を講じており、ダイヤル凸部を指の腹部にかけて操作することで、ダイヤル操作の際にダイヤル番号を合わせるのが容易であり、とくに冬場で指がかじかんでしまう場合やグローブ等を手に嵌めた状態でも、ダイヤル操作を比較的安定的におナウことのできるダイヤル錠を提供し、またこのようなダイヤル錠を備えたワイヤー付きダイヤル錠を提供することとなった。
【図面の簡単な説明】
【００１０】
【図１】本考案の実施例１のダイヤル錠の斜視図。
【図２】実施例１のダイヤル錠の操作リングを含む要部断面図。
【図３】本考案の実施例２のダイヤル錠の斜視図。
【図４】実施例２のダイヤル錠の要部断面図。
【図５】本考案の実施例３のダイヤル錠の斜視図。
【図６】実施例３のダイヤル錠の要部断面図及びその部分拡大図。
【図７】実施例３のダイヤル錠のダイヤル凸部の構造を示す部分拡大断面図。
【図８】本考案の実施例４のダイヤル錠の操作リング１と従来品との比較説明図。
【考案を実施するための形態】
【００１１】
本考案を実施するための最良の形態として、実施例１（図１〜図２）、実施例２（図３〜図４）、実施例３（図５〜図７）、実施例４（図８）として示す各図と共に説明する。いずれの実施例でも本考案のダイヤル錠は、キーＫと、キーＫを挿入し得るハウジングＨとから構成され、ハウジングＨの周側面に、環幅１０ｍｍ以上２０ｍｍ以下の操作リング１を３列以上隣設して組み込んでなる。また本考案のワイヤー付きダイヤル錠は、前記ダイヤル錠と、一端がキーＫの頭部に連結され、他端がハウジングの一端に連結されたワイヤーＷと、から構成される。
そして、考案のダイヤル錠またはワイヤー付きダイヤル錠において、各操作リング１の環外周面には、前記環幅よりも小さい突出幅のダイヤル凸部１０が複数個、環周方向に沿って一定の離間間隔ごとに突出形成される。以下、実施例の各構成につき詳述する。
【実施例１】
【００１２】
図１及び図２の各図には、上記ダイヤル錠と、ダイヤル錠のハウジングを一端に繋ぎ、ダイヤル錠のキーを他端に繋いだワイヤーＷとから構成されたワイヤー付きダイヤル錠が図示される。
【００１３】
（ハウジングＨ）
ハウジングＨは、所定の一定径の円筒部を中心に有した円形断面の容体であって、円筒部の両端に、略半球面ですぼみ形成された成形端部を有し、両成形端部の間の円筒部に３列の操作リングを組み込んでなる。
【００１４】
（操作リング１）
操作リング１は、ハウジングＨの円筒部の径よりも大径の外周面を有する剛性の環体と、環体の外周面に環周方向に沿って一定の離間間隔ごとに突出形成された複数のダイヤル凸部１０とから一体構成される。また隣接する各ダイヤル凸部１０の間には細溝１２が形成される。細溝１２はダイヤル凸部の境界溝として環周方向に沿って等間隔に形成される（図１）。
環幅１Ｌは、少なくとも８ｍｍ以上１１ｍｍ以下、好ましくは１０ｍｍであることが好ましい。前記環幅１Ｌは、一般的な成人男性の平均的な四指幅とされる３／４インチ〜７／８インチの各値の半値を基準とした値である。これは人差し指で操作リング１のダイヤル凸部１０を抑えたときに、操作リング１のダイヤル凸部１０が指幅を超えることがなく、かつダイヤル凸部１０の両側部を覆う０．２〜０．５ｍｍの余裕幅をもって設定される環幅の値である。この環幅１Ｌであれば、操作する一指にて、０．２〜０．５ｍｍの余裕幅部でダイヤル凸部１０の突出側部を抑え、かつ環幅以下のダイヤル凸部１０の頂面の全巾を抑えることができる。
【００１５】
（ダイヤル凸部１０）
複数のダイヤル凸部１０はいずれも、略多角形又は円形の平面外形状からなり、かつ、平面又は凹面からなる所定形状の頂面を有する。但し、ダイヤル凸部１０の略多角形又は円形の平面外形状は、前記環幅よりも小さい最大径であって、ダイヤル凸部１０の頂面の代表径は前記環幅１Ｌを超えない。また各ダイヤル凸部１０の頂面には、周方向のダイヤル凸部同士を識別する識別符号１Ｉが固定表示される。
【００１６】
（乗り越え抵抗）
ハウジングＨには、操作リング１を取り付ける取り付け部の内側に円筒状の支持枠が形成される（図２）。また操作リング１の環内面には、抵抗凸片が複数個、前記凸部１０の離間間隔と同じ離間間隔毎に突出形成される（図示せず）。この抵抗凸片は所定の設定回転トルク０．０３±０．０１Ｎｍを設定範囲とし、この設定範囲内の乗り越え抵抗を有するように支持枠に圧接した状態で組み込まれる。すなわち操作リング１は、内部の抵抗凸片が、ハウジングＨの支持枠に対して内部接触するように組み込まれてなり、この抵抗凸片が支持枠上を圧接移動する際の摩擦抵抗によって、回転トルクが生じる。そしてこれにより、操作リング１は、前記所定の乗り越え抵抗である０．０３±０．０１Ｎｍ以上の回転トルクによってのみ回転する。この乗り越え抵抗の値は、以下の操作性テストによって得られた経験値である。
【００１７】
＜操作性テスト＞
テスト１：環幅７ｍｍ、８ｍｍ、９ｍｍ、１０ｍｍ、１１ｍｍ、１２ｍｍ、１３ｍｍの各巾を有した各ダイヤル錠（いずれも操作リング３列、環外径２５ｍｍ）について、簡易的（バネばかり）でダイヤル錠の回転トルクを測定した（Ｎ＝１０）。回転開始時の最小トルクは０．０３±０．０１Ｎｍであった。
テスト２：環幅７ｍｍ、８ｍｍ、９ｍｍ、１０ｍｍ、１１ｍｍ、１２ｍｍ、１３ｍｍの各巾を有した各ダイヤル錠（３列、環外径２５ｍｍ）について、各被験者は、滑り止めゴムを付していない一般的な作業用の軍手をはめて、各操作リングを初期ダイヤル値から元のダイヤル値へと一回転操作した。設定操作の際は、必ず一回転のうえ元のダイヤル値に設定するものとし、操作後に各サンプルの比較操作感をコメントした。試験の結果、環幅１０ｍｍ巾、環幅１２ｍｍ巾の各ダイヤル錠が同調（他のリングを回すこと）が起こらなかった。
Ａ：他のリングを回さないこと、回らない、合わせにくい
Ｂ：他のリングは回るが  やり方によって回らず、あわせられる。
Ｃ：合わせられる
【実施例２】
【００１８】
実施例２のダイヤル錠は、キーＫと、キーＫを挿入し得る筒状のハウジングＨと、ハウジングＨの周側面に隣接して３列並べて組み込まれた、それぞれ環幅１０ｍｍ以上２０ｍｍ以下の３本の操作リング１と、各操作リングの環周面を覆う弾性の筒状バンドからなる１本ないし３本のリングカバー２と、を具備してなる。
【００１９】
（リングカバー２）
リングカバー２は操作リングの環外周と同じかそれよりもわずかに大きい内周の弾性筒体からなり、弾性拡径させた状態で操作リングの周上に配置し、操作リングの周上で弾性復帰させることで、操作リング２に巻着させる。
リングカバー２の筒状バンド内面には、操作リングの各ダイヤル凸部に対応した複数の嵌合凹部が複数個、ダイヤル凸部１０の形成角に合わせて凹形成され、
リングカバー２の筒状バンド外面には、所定のカバー凸部２０が複数個、環周方向に沿って各嵌合凹部の形成位置に対応して突出形成される。
各操作リングの環周を覆って取り付けたリングカバー２の回転操作によって、操作リングを回転操作することができる。
【実施例３】
【００２０】
図５、図６に示す本考案の実施例３の各ダイヤル凸部１０の頂面は凹面からなり、この凹面内に透過性レンズが嵌入され、凹面と透過性レンズ下面との間に識別符号１Ｉが固定表示されることで、
識別符号１Ｉが透過性レンズのレンズ効果によって変形視される。
また実施例３の各ダイヤル凸部の頂面又は頂面に嵌入された透過性レンズの上面には、複数の微細突起が面内に形成される。
【００２１】
本考案は上記手段を講じており、ダイヤル凸部を指の腹部にかけて操作することで、ダイヤル操作の際にダイヤル番号を合わせるのが容易であり、とくに冬場で指がかじかんでしまう場合やグローブ等を手に嵌めた状態でも、ダイヤル操作を比較的安定的に行うことのできるダイヤル錠を提供し、またこのようなダイヤル錠を備えたワイヤー付きダイヤル錠を提供することとなった。その他上述の実施例に限定されず、様々な変形、各実施例の要素の変形、要素抽出が可能である。
【符号の説明】
【００２２】
Ｋ  キー
Ｈ  ハウジング
１  操作リング
１０  ダイヤル凸部
１Ｉ  識別符号
２  リングカバー
【図１】
0003185775.tif 000003
【図２】
0003185775.tif 000004
【図３】
0003185775.tif 000005
【図４】
0003185775.tif 000006
【図５】
0003185775.tif 000007
【図６】
0003185775.tif 000008
【図７】
0003185775.tif 000009
【図８】
0003185775.tif 000010
【手続補正書】
【提出日】平成25年7月2日(2013.7.2)
【手続補正１】
【補正対象書類名】実用新案登録請求の範囲
【補正対象項目名】全文
【補正方法】変更
【補正の内容】
【実用新案登録請求の範囲】
【請求項１】
キーを挿入し得る筒状のハウジングの周側面に、環幅１０ｍｍ以上２０ｍｍ以下の操作リングを３列以上隣設して組み込んでなるダイヤル錠であって、
各操作リングの環外周面には、前記環幅よりも小さい突出幅のダイヤル凸部が複数個、環周方向に沿って一定の離間間隔ごとに突出形成され、
前記複数のダイヤル凸部はいずれも、略多角形又は円形の平面外形状からなり、かつ、平面又は凹面からなる所定形状の頂面を有し、
各ダイヤル凸部の頂面には、周方向のダイヤル凸部同士を識別する識別符号が固定表示されてなることを特徴とするダイヤル錠。
【請求項２】
各ダイヤル凸部の頂面は凹面からなり、この凹面内に透過性レンズが嵌入され、当該凹面と透過性レンズ下面との間に識別符号が固定表示されることで、
識別符号が透過性レンズのレンズ効果によって歪んでまたは変形して視認される請求項１記載のダイヤル錠。
【請求項３】
各ダイヤル凸部の頂面又は頂面に嵌入された透過性レンズの上面には、複数の微細突起が面内に離散形成される請求項１又は２記載のダイヤル錠。
【請求項４】
各操作リングの環周面を覆う弾性の筒状バンドからなるリングカバーを少なくとも一個、少なくともいずれかの操作リングの環周面に取り付け乃至取り外し可能に具備してなるダイヤル錠であって、
リングカバーの筒状バンド内面には、操作リングの各ダイヤル凸部に対応した複数の嵌合凹部が複数個、ダイヤル凸部の形成角度に対応して凹形成され、
リングカバーの筒状バンド外面には、所定のカバー凸部が複数個、環周方向に沿って各嵌合凹部の形成位置に対応して突出形成され、
各操作リングの環周を覆って取り付けたリングカバーの回転操作によって、操作リングを回転操作し得る請求項１ないし３のいずれか記載のダイヤル錠。
【請求項５】
ハウジングには、操作リングの取り付け部の内側に円筒状の支持枠が形成され、
操作リングの環内面には、回転トルク０．０３±０．０１Ｎｍの乗り越え抵抗を有する抵抗凸片が複数個、前記凸部の離間間隔と同じ離間間隔毎に突出形成され、
操作リングは、内部の抵抗凸片が、ハウジングの支持枠に対して内部接触するように組み込まれてなり、前記乗り越え抵抗以上の回転トルクによってのみ回転する請求項４記載のダイヤル錠。
【請求項６】
請求項１ないし５のいずれか記載のダイヤル錠と、ダイヤル錠のハウジングを一端に繋ぎ、ダイヤル錠のキーを他端に繋いだワイヤーとから構成されたワイヤー付きダイヤル錠であって、
ハウジングは、略半球状にすぼみ形成された両端部を有し、
両端部の間に、半球の径よりも大径の環外周を有する３列の操作リングを組み込んでなるワイヤー付きダイヤル錠。